(57)【要約】【課題】  中空柱内に落した均等配置冶具を比較的簡単かつ効率的に回収する。【解決手段】  取付本体部１３をロープ２１で吊り下げながらガイド棒に挿入して下降させ、取付本体部１３の外周縁部に取り付けられている吊上げ用フック１５ａ、１５ｂの釣針部１７を均等配置冶具３の開口部３５に挿通し、ロープ２１を引っ張って取付本体部１３を回転させ、釣針部１７を均等配置冶具３の開口部３５の放射状仕切り部３７の下側に引っ掛け、ロープ２１で取付本体部１３を吊り上げて均等配置冶具３を回収する。【選択図】        図１
2013227736.tif 000002
【特許請求の範囲】
【請求項１】
中空柱内の均等配置冶具を回収する回収用冶具であって、
前記均等配置冶具に形成された開口部に各々挿通されて当該開口部の縁枠に掛合可能であり、かつ等角度間隔で設けられ少なくとも２個からなる一対の吊上げ用フックと、
この一対の吊上げ用フックを前記等角度間隔で取り付ける取付本体部と、
この取付本体部を前記一対の吊上げ用フックがほぼ水平を保つようにつり下げるつり下げ体と
を有することを特徴とする回収用冶具。
【請求項２】
中空柱内の均等配置冶具を回収する回収用冶具であって、
前記均等配置冶具に形成された開口部に各々挿通され、上端部から下方に伸びた下端部が前記開口部の縁枠に下側から掛止するように構成される釣針部の各々の先端が互いに反対向きに形成されるとともに、各々は互いに１８０度離隔して配設されている一対の吊上げ用フックと、
中空柱内の中心を通って中空柱の上下方向に挿入されているガイド棒が貫通する中心孔を有し、前記一対の吊上げ用フックが互いに離隔して周縁部に固定的に取り付けられる取付本体部と、
この取付本体部の前記中心孔と周縁部との間に固定的に取り付けられ、当該取付本体部を吊り上げるためのつり下げ体と
を有することを特徴とする回収用冶具。
【請求項３】
前記ガイド棒が貫通する貫通孔を有するとともに、前記取付本体部の中心孔に挿入される筒状体であって、前記貫通孔にガイド棒を挿入し、ガイド棒に沿って下降させた場合、ガイド棒に中心が貫通した状態で中空柱内の均等配置冶具の中心に当接して停止するとともに、上端部は傾斜または丸みをもって形成されている筒状体を有することを特徴とする請求項２記載の回収用冶具。
【請求項４】
請求項２に記載の回収用冶具を用いて、中空柱内の均等配置冶具を回収する回収方法であって、
前記取付本体部の中心孔に対してガイド棒を上端から挿入して取付本体部をガイド棒に沿って下降させ、
取付本体部を下降させながら吊上げ用フックを下端部の釣針部から均等配置冶具の開口部に挿通し、
前記つり下げ体をガイド棒の周方向の前記所定の方向に引き上げるとともに取付本体部を所定の方向に回転させ、
吊上げ用フックの釣針部を均等配置冶具の開口部の縁枠に掛合し、
つり下げ体を上方に引き上げて均等配置冶具を回収する
ことを特徴とする回収用冶具を用いた回収方法。
【請求項５】
請求項３に記載の回収用冶具を用いて、中空柱内の均等配置冶具を回収する回収方法であって、
前記筒状体の貫通孔にガイド棒を上端から貫通させて筒状体をガイド棒に沿って下降させて、ガイド棒が中心を貫通した状態で中空柱内に落ちた均等配置冶具の中心に当接させ、
前記取付本体部の中心孔に対してガイド棒を上端から挿入し、
前記ロープで取付本体部を吊り下げながらガイド棒に沿って取付本体部を下降させ、
この下降した取付本体部の中心孔に前記筒状体の上端を当接させながら筒状体を取付本体部の中心孔に挿入し、
前記つり下げ体で取付本体部を吊り下げながら取付本体部の中心孔に挿入された筒状体に沿って取付本体部を更に下降させ、
この取付本体部の下降で取付本体部の周縁部に取り付けられた一対の吊上げ用フックを下端部の釣針部から均等配置冶具の開口部に挿通し、
前記一対の吊上げ用フックが下端部の釣針部から均等配置冶具の開口部に挿通して、当該一対の吊上げ用フックの下端部の釣針部が均等配置冶具の開口部から下方に突出した後、前記つり下げ体をガイド棒の周方向の前記所定の方向に引っ張って、前記取付本体部をガイド棒の周りで所定の方向に回転させ、
この回転で一対の吊上げ用フックの釣針部を均等配置冶具の開口部の縁枠の下側に位置させ、
一対の吊上げ用フックの釣針部が均等配置冶具の開口部の縁枠の下側に位置した状態で前記つり下げ体を上方に引き上げ前記釣針部を均等配置冶具の開口部の縁枠の下側に掛合し、
前記釣針部が均等配置冶具の開口部の縁枠に掛合した状態でつり下げ体を上方に引っ張って取付本体部を上方に吊り上げて、均等配置冶具を回収する
ことを特徴とする回収用冶具を用いた回収方法。
【発明の詳細な説明】
【技術分野】
【０００１】
本発明は、例えばコンクリート製電柱や鋼管柱等のような中空柱の補強作業中などにおいて中空柱内の均等配置冶具を回収する際に用いる回収用冶具および該回収用冶具を用いた回収方法に関する。
【背景技術】
【０００２】
コンクリート製電柱や鋼管柱等のような中空柱は、全長が例えば十数メートルほどあり、その下部が地中に埋設されて立設されているが、この地中部分と地上に立設された地上部分との境の地際を補強するために、図６に示すように、その地際を挟んで地上数メートル程度の所まで補強用棒状部材であるアラミドロッド１２１やＰＣ鋼線１２３を複数、中空柱１の内部に配設するとともに、これらの補強用棒状部材の間にモルタル１２５を充填して補強されている。
【０００３】
前記複数のアラミドロッド１２１やＰＣ鋼線１２３は、中空柱１の内周面に沿って均等かつ交互に配設されるように後述する図１において符号３で示すようなロッド配置用スペーサである均等配置冶具３を使用し、この均等配置冶具３の周縁部に形成された複数の孔であるアラミドロッド保持部３ａおよびＰＣ鋼線保持部３ｂに挿通されて保持されるようになっている。なお、この均等配置冶具３は、その中央に形成された中央孔３ｃに対して中空柱１の中心軸に配設されるガイド棒５が貫通して中空柱１内の中心に配設されるとともに、図６に示すように、中空柱１の上下方向に所定の間隔で複数配設されている。
【０００４】
従って、中空柱１の補強作業では、上述したように、複数の均等配置冶具３を使用するが、この均等配置冶具３が補強作業の途中で中空柱１内の下方にあって、所定の状態に設定されないことがある。このような中空柱１内の均等配置冶具３は、補強作業に支障を来すものであるため、中空柱１内の下方から回収することが必要であるが、中空柱１内の下方の均等配置冶具３を中空柱１の上方から回収することは、かなり難しいという問題がある。
【０００５】
特に、中空柱１の補強作業中に、均等配置冶具３が中空柱１内の下方で、この下方の補強用棒状部材などに引っ掛かったような場合において、補強作業が図６に示すようなモルタル１２５をまだ充填する前の作業段階であった場合には、アラミドロッド１２１やＰＣ鋼線１２３などの複数の補強用棒状部材はモルタル１２５でまだ固められていないので、これら複数の補強用棒状部材を中空柱１の上方からロープなどにより引っ張り上げることにより、すなわちこの作業時点においては既に複数の補強用棒状部材の下方に配設されている均等配置冶具３のアラミドロッド保持部３ａやＰＣ鋼線保持部３ｂに複数の補強用棒状部材が保持されているものであった場合には、中空柱１の上端の開口部からロープを中空柱１内の下方に投入し、このロープの下端を中空柱１の下端部寄りに形成されている側部開口１ｃなどにおいて均等配置冶具３または補強用棒状部材に結び付けるなどして、複数の補強用棒状部材を中空柱１の上方から引っ張り上げることにより、補強用棒状部材の途中などに引っ掛かっている均等配置冶具３を回収することも可能であるが、このように複数の補強用棒状部材を中空柱１の上方からロープなどで引っ張り上げることは、その重さや作業現場の足場の悪さなどを考慮すると、かなり難しく、時間もかかり、非効率的であるという問題がある。
【先行技術文献】
【特許文献】
【０００６】
【特許文献１】特開２００６−２８３３９２号公報
【特許文献２】特開２００７−７７６１３号公報
【発明の概要】
【発明が解決しようとする課題】
【０００７】
本発明は、上記に鑑みてなされたもので、その目的とするところは、中空柱内の均等配置冶具を比較的簡単かつ効率的に回収し得る回収用冶具および該回収用冶具を用いた回収方法を提供することにある。
【課題を解決するための手段】
【０００８】
上記課題を達成するため、請求項１記載の回収用冶具は、中空柱内の均等配置冶具を回収する回収用冶具であって、前記均等配置冶具に形成された開口部に各々挿通されて当該開口部の縁枠に掛合可能であり、かつ等角度間隔で設けられ少なくとも２個からなる一対の吊上げ用フックと、この一対の吊上げ用フックを前記等角度間隔で取り付ける取付本体部と、この取付本体部を前記一対の吊上げ用フックがほぼ水平を保つようにつり下げるつり下げ体とを有することを要旨とする。
【０００９】
請求項２記載の回収用冶具は、中空柱内に落した均等配置冶具を回収する回収用冶具であって、前記均等配置冶具に形成された開口部に各々挿通され、上端部から下方に伸びた下端部が前記開口部の縁枠に下側から引っ掛かるように当該下端部が上方に屈曲して構成される釣針部の各々の先端が所定の方向を向いて互いに反対向きに形成されるとともに、各々は互いに１８０度離隔して配設されている一対の吊上げ用フックと、中空柱内の中心を通って中空柱の上下方向に挿入されているガイド棒が貫通する中心孔を有し、前記一対の吊上げ用フックの釣針部の先端が互いに反対方向を向くとともに当該一対の吊上げ用フックの各々の上端部が互いに離隔して周縁部に固定的に取り付けられ、前記釣針部を含む下端部が下面を超えて下方に突出している取付本体部と、該取付本体部の前記中心孔と周縁部との間の、当該取付本体部の上面に下端部が固定的に取り付けられ、上端部が上方に長く延伸し、前記取付本体部を上下方向に吊り下げたり吊り上げるためのロープとを有することを要旨とする。
【００１０】
請求項２記載の回収用冶具では、周縁部に吊上げ用フックが取り付けられた取付本体部の中心孔にガイド棒を挿通し、ロープで吊り下げながら取付本体部をガイド棒に沿って下降させて、取付本体部の周縁部に取り付けられている吊上げ用フックの釣針部を均等配置冶具の開口部に挿入して開口部の縁枠に下側から釣針部を引っ掛かけてからロープを吊り上げて均等配置冶具を回収するため、ロープで取付本体部とともに吊上げ用フックを吊り下げたり吊り上げるという比較的簡単な作業で大きな力も必要とせずに効率的に均等配置冶具を回収できる。
【００１１】
請求項３記載の回収用冶具は、前記ガイド棒が貫通する貫通孔を有するとともに、前記取付本体部の中心孔に挿入される筒状体であって、前記貫通孔にガイド棒を挿入し、ガイド棒に沿って下降させた場合、ガイド棒に中心が貫通した状態で中空柱内に落ちている均等配置冶具の中心に当接して停止するとともに、上端部は丸みをもって形成されている筒状体を有することを要旨とする。
【００１２】
請求項３記載の回収用冶具では、取付本体部をガイド棒に沿って下降させる場合に取付本体部が均等配置冶具に当接する直前で取付本体部の中心孔に筒状体が挿通し、筒状体に沿って取付本体部は吊上げ用フックとともに下降して均等配置冶具に近接するとともに、上端部が丸みをもって形成されているため、吊上げ用フックの釣針部が均等配置冶具の開口部に対して傾斜したり、ぐらつくことなく円滑に挿入され、吊上げ用フックの釣針部を均等配置冶具の開口部の縁枠に下側から適確に引っ掛かることができ、均等配置冶具を確実に回収することができるとともに、上端部の丸みにより取付本体部の中心孔に筒状体が挿入され易いようになっている。
【００１３】
請求項４記載の回収方法は、請求項１に記載の回収用冶具を用いて、中空柱内に落した均等配置冶具を回収する回収方法であって、前記取付本体部の中心孔に対してガイド棒を上端から挿入して取付本体部をガイド棒に沿って下降させ、取付本体部を下降させながら吊上げ用フックを下端部の釣針部から均等配置冶具の開口部に挿通し、前記ロープをガイド棒の周方向の前記所定の方向に引っ張って取付本体部を所定の方向に回転させ、吊上げ用フックの釣針部を均等配置冶具の開口部の縁枠の下側に引っ掛け、ロープを上方に引っ張って取付本体部を上方に吊り上げて均等配置冶具を回収することを要旨とする。
【００１４】
請求項４記載の回収方法では、取付本体部をガイド棒に沿って下降させながら吊上げ用フックを下端部の釣針部から均等配置冶具の開口部に挿通し、ロープを引っ張って取付本体部を所定の方向に回転させ、釣針部を均等配置冶具の開口部の縁枠の下側に引っ掛け、ロープを上方に引っ張り、取付本体部を吊り上げて均等配置冶具を回収するため、ロープで取付本体部とともに吊上げ用フックを吊り下げたり吊り上げるという比較的簡単な作業で大きな力も必要とせずに効率的に均等配置冶具を回収できる。
【００１５】
請求項５記載の回収方法は、請求項２に記載の回収用冶具を用いて、中空柱内に落した均等配置冶具を回収する回収方法であって、前記筒状体の貫通孔にガイド棒を上端から貫通させて筒状体をガイド棒に沿って下降させて、ガイド棒が中心を貫通した状態で中空柱内に落ちた均等配置冶具の中心に当接させ、前記取付本体部の中心孔に対してガイド棒を上端から挿入し、前記ロープで取付本体部を吊り下げながらガイド棒に沿って取付本体部を下降させ、この下降した取付本体部の中心孔に前記筒状体の上端を当接させながら筒状体を取付本体部の中心孔に挿入し、前記ロープで取付本体部を吊り下げながら取付本体部の中心孔に挿入された筒状体に沿って取付本体部を更に下降させ、この取付本体部の下降で取付本体部の周縁部に取り付けられた一対の吊上げ用フックを下端部の釣針部から均等配置冶具の開口部に挿通し、前記一対の吊上げ用フックが下端部の釣針部から均等配置冶具の開口部に挿通して、当該一対の吊上げ用フックの下端部の釣針部が均等配置冶具の開口部から下方に突出した後、前記ロープをガイド棒の周方向の前記所定の方向に引っ張って、前記取付本体部をガイド棒の周りで所定の方向に回転させ、この回転で一対の吊上げ用フックの釣針部を均等配置冶具の開口部の縁枠の下側に位置させ、一対の吊上げ用フックの釣針部が均等配置冶具の開口部の縁枠の下側に位置した状態で前記ロープを上方に引っ張って、前記釣針部を均等配置冶具の開口部の縁枠の下側に引っ掛け、前記釣針部が均等配置冶具の開口部の縁枠に引っ掛かった状態でロープを上方に引っ張って取付本体部を上方に吊り上げて、均等配置冶具を回収することを要旨とする。
【００１６】
請求項５記載の回収方法では、筒状体をガイド棒に沿って下降させて均等配置冶具に当接させ、取付本体部の中心孔に対してガイド棒を挿入し、ロープで取付本体部を吊り下げながらガイド棒に沿って下降させ、筒状体を取付本体部の中心孔に挿入し、ロープで取付本体部を吊り下げながら筒状体に沿って更に下降させ、吊上げ用フックを下端部の釣針部から均等配置冶具の開口部に挿通し、釣針部を均等配置冶具の開口部から下方に突出させ、ロープをガイド棒の周方向に引っ張って、取付本体部を回転させ、釣針部を均等配置冶具の開口部の縁枠の下側に位置させてから、ロープを上方に引っ張って、釣針部を均等配置冶具の開口部の縁枠の下側に引っ掛けながら、ロープを上方に引っ張って取付本体部を吊り上げて、均等配置冶具を回収するため、ロープで取付本体部とともに吊上げ用フックを吊り下げたり吊り上げるという比較的簡単な作業で大きな力も必要とせずに効率的に均等配置冶具を回収できる。
【発明の効果】
【００１７】
本発明によれば、吊上げ用フックが取り付けられた取付本体部の中心孔にガイド棒を挿通し、ロープで吊り下げながら取付本体部をガイド棒に沿って下降させ、吊上げ用フックの釣針部を均等配置冶具の開口部に挿入して開口部の縁枠に下側から釣針部を引っ掛かけてからロープを吊り上げて均等配置冶具を回収するので、単にロープで取付本体部とともに吊上げ用フックを吊り下げたり吊り上げるという比較的簡単な作業で大きな力も必要とせずに効率的に均等配置冶具を回収できる。
【００１８】
また、本発明によれば、取付本体部をガイド棒に沿って下降させる場合に取付本体部が均等配置冶具に当接する直前で取付本体部の中心孔に筒状体が挿通し、筒状体に沿って取付本体部は吊上げ用フックとともに下降して均等配置冶具に近接するとともに、上端部が丸みをもって形成されているので、吊上げ用フックの釣針部が均等配置冶具の開口部に対して傾斜したり、ぐらつくことなく円滑に挿入され、吊上げ用フックの釣針部を均等配置冶具の開口部の縁枠に下側から適確に引っ掛かることができ、均等配置冶具を確実に回収することができるとともに、上端部の丸みにより取付本体部の中心孔に筒状体が挿入され易いようになっている。
【００１９】
更に、本発明によれば、取付本体部をガイド棒に沿って下降させながら吊上げ用フックの釣針部を均等配置冶具の開口部に挿通し、ロープを引っ張って取付本体部を回転させ、釣針部を均等配置冶具の開口部の縁枠の下側に引っ掛け、ロープで取付本体部を吊り上げて均等配置冶具を回収するので、ロープで取付本体部とともに吊上げ用フックを吊り下げたり吊り上げるという比較的簡単な作業で大きな力も必要とせずに効率的に均等配置冶具を回収できる。
【００２０】
本発明によれば、筒状体をガイド棒に沿って下降させて、取付本体部にガイド棒を挿入し、ロープで取付本体部を吊り下げながらガイド棒に沿って下降させ、筒状体を取付本体部に挿入し、取付本体部を筒状体に沿って更に下降させ、釣針部を均等配置冶具の開口部に挿通してから下方に突出させ、ロープを周方向に引っ張って、取付本体部を回転させ、釣針部を均等配置冶具の開口部の縁枠の下側に位置させ、ロープを上方に引っ張って、釣針部を均等配置冶具の開口部の縁枠の下側に引っ掛けながら、ロープを上方に引っ張って取付本体部を吊り上げて均等配置冶具を回収するので、ロープで取付本体部とともに吊上げ用フックを吊り下げたり吊り上げるという比較的簡単な作業で大きな力も必要とせずに効率的に均等配置冶具を回収できる。
【図面の簡単な説明】
【００２１】
【図１】本発明の一実施形態に係わる回収用冶具を使用して、中空柱内に落した均等配置冶具を回収する動作の一部を示す斜視図である。
【図２】図１に示した回収用冶具の取付本体部を異なる角度から見た斜視図およびの平面図である。
【図３】図１に示した回収用冶具の吊上げ用フックが均等配置冶具の下方に延出した動作状態を下側から見て示す斜視図である。
【図４】図１に示した回収用冶具の吊上げ用フックが均等配置冶具の縁枠の下側に引っ掛かった動作状態を下側から見て示す斜視図である。
【図５】本発明の他の実施形態に係わる回収用冶具を示す斜視図である。
【図６】中空柱を複数の補強用棒状部材で補強した状態を示す断面図である。
【発明を実施するための形態】
【００２２】
以下、図面を用いて、本発明を実施するための形態(以下、実施形態と称する)を説明する。
【００２３】
図１は、本発明の一実施形態に係わる回収用冶具を使用して、中空柱内に落した均等配置冶具を回収する動作の一部を示す斜視図である。図１に示す回収用冶具１１は、その下方に示すように中空柱１内の均等配置冶具３を回収するためのものであるが、この回収用冶具１１は、環状円形体の取付本体部１３を有し、この取付本体部１３の外周縁部に２個以上の、一対の吊上げ用フック１５ａ、１５ｂ・・の上端部がねじ止めなどにより固定的に取り付けられている。以下、本発明の一実施形態にあっては、２個で一対の  吊上げ用フック１５ａ、１５ｂの場合について説明する。
【００２４】
前記一対の吊上げ用フック１５ａ、１５ｂは、取付本体部１３に取り付けられた上端部から下方に伸びた下端部が上方に屈曲して「し」の字形の釣針部１７を構成し、この釣針部１７の各々の先端１７ａは所定の方向を向いて、すなわち取付本体部１３の外周縁部の接線方向において互いに反対方向を向くように設定されている。また、一対の吊上げ用フック１５ａ、１５ｂは、各々は互いに１８０度離隔して、取付本体部１３の外周縁部に取り付けられている。また更に、吊上げ用フック１５ａ、１５ｂの下端部の釣針部１７は、取付本体部１３の下面よりも下方に少し長く延出している。
【００２５】
前記取付本体部１３は、その中心に中心孔１３ａが形成され、この中心孔１３ａに細長い筒状体１９が挿通されている。この筒状体１９は、その長手方向の全体を貫通するように貫通孔１９ａが形成され、この貫通孔１９ａに前記ガイド棒５が貫通している。そして、ガイド棒５が貫通した筒状体１９の下端部は、取付本体部１３の中心孔１３ａを貫通して下方に延出してから均等配置冶具３の中心に当接している。
【００２６】
また、筒状体１９の上端部は、傾斜または丸みをもって形成され、この傾斜または丸みのある筒状体１９の上端部が取付本体部１３の中心孔１３ａに挿入し易いようになっている。すなわち、後述するように、筒状体１９は、貫通孔１９ａにガイド棒５が挿通されてから、ガイド棒５に沿って下降して、筒状体１９の下端部は均等配置冶具３の中心に当接して停止するが、この状態において取付本体部１３は、その中心孔１３ａにガイド棒５が上端部から挿通され、ガイド棒５に沿って下降する。この下降で取付本体部１３の中心孔１３ａが筒状体１９の上端部に当接すると、この筒状体１９の丸みのある上端部が取付本体部１３の中心孔１３ａに円滑に挿入されることになる。
【００２７】
また、取付本体部１３は、中心孔１３ａと外周縁部との間の上面につり下げ体としてのロープ２１の下端部が固定的に取り付けられている。このロープ２１の上端部は、上方に長く延伸し、例えば中空柱１の上開口部などから外部に出ている。このロープ２１は、中空柱１の外部から取付本体部１３を上下方向に吊り下げたり吊り上げるためのものであり、紐、ワイヤあるいは鎖等であっても構わない。
【００２８】
図２（ａ）および図２（ｂ）は、図１に示した回収用冶具１１の取付本体部１３を異なる角度から見た斜視図であり、図２（ｃ）は、回収用冶具１１の平面図であり、筒状体１９は図示されていない。これらの図、特に図２（ｃ）から分かるように、取付本体部１３の外周縁部に上端部が取り付けられている吊上げ用フック１５ａ、１５ｂは、それぞれの下端部の釣針部１７の先端１７ａが取付本体部１３の接線方向において互いに反対方向を向くようになっている。
【００２９】
すなわち、図２（ｃ）において上方に位置する一方の吊上げ用フック１５ａは、釣針部１７の先端１７ａが左方を向き、下方に位置する他方の吊上げ用フック１５ｂは、釣針部１７の先端１７ａが右方を向くというように吊上げ用フック１５ａ、１５ｂのそれぞれの釣針部１７の先端１７ａは、互いに反対方向を向くように取り付けられている。また、一対の吊上げ用フック１５ａ、１５ｂは、互いに１８０度離隔して、取付本体部１３の外周縁部に取り付けられている。
【００３０】
以上のように構成される回収用冶具１１を用いて、中空柱１内に落した均等配置冶具３を中空柱１の上方から回収する回収方法について説明する。
【００３１】
まず、図１において、均等配置冶具３がその中央孔３ｃにガイド棒５を挿通された状態で中空柱１の下方に落ちてしまったものとする。なお、この状態では、ガイド棒５を挿通された均等配置冶具３のみが中空柱１内に存在しているものであり、図１に示す回収用冶具１１の取付本体部１３、筒状体１９およびロープ２１は中空柱１内にまだ入れられていない。
【００３２】
ガイド棒５を挿通された均等配置冶具３のみが中空柱１内に存在している状態において、まずガイド棒５をその上端部から回収用冶具１１の筒状体１９の貫通孔１９ａに挿通する。ガイド棒５が筒状体１９の貫通孔１９ａに挿通されたら、この筒状体１９をガイド棒５に沿って中空柱１内の下方に下降させ、この筒状体１９の下端部を均等配置冶具３の中心に当接させて、筒状体１９の下降を停止させる。この状態が図１において回収用冶具１１の取付本体部１３やロープ２１がない状態であり、筒状体１９のみが均等配置冶具３の上に存在している状態である。
【００３３】
筒状体１９のみが均等配置冶具３の上にある状態において、回収用冶具１１の取付本体部１３をロープ２１で吊り下げながらガイド棒５の真上に位置させ、ガイド棒５の上端部を取付本体部１３の中心孔１３ａに挿通させる。それから、ロープ２１で取付本体部１３を中空柱１の上方から吊り下げるように保持しながら、取付本体部１３をガイド棒５に沿って下降させる。
【００３４】
取付本体部１３をロープ２１で吊り下げながら下降させると、取付本体部１３の中心孔１３ａの下側縁部が筒状体１９の丸みのある上端部に当接し、この上端部の丸みのある部分をすべりながら筒状体１９が取付本体部１３の中心孔１３ａに挿入されていく。図１は、このようにして取付本体部１３の中心孔１３ａに筒状体１９が途中まで挿入された状態を示している。
【００３５】
図１に示すように、取付本体部１３の中心孔１３ａに筒状体１９が途中まで挿入された状態では、取付本体部１３の外周縁部に取り付けられている吊上げ用フック１５ａ、１５ｂは、図１に示すように、その下端部の釣針部１７が均等配置冶具３よりも少し上に位置している。
【００３６】
吊上げ用フック１５ａ、１５ｂの下方に位置している均等配置冶具３は、その外側周辺部に複数のアラミドロッド保持部３ａおよびＰＣ鋼線保持部３ｂが形成されるとともに、また中心の中央孔３ｃから外側へ放射状に延出している複数の連結アーム３１の各先端部を円形に連結する円形連結部３３が中程に形成されているが、この円形連結部３３と前記アラミドロッド保持部３ａおよびＰＣ鋼線保持部３ｂとの間には、複数の開口部３５がその縁枠である放射状仕切り部３７で仕切られて形成されている。
【００３７】
図１に示す状態では、回収用冶具１１の吊上げ用フック１５ａ、１５ｂの各釣針部１７は、均等配置冶具３の前記開口部３５の真上に位置している。従って、この図１の状態から取付本体部１３をロープ２１で吊り下げながら更に下降させると、吊上げ用フック１５ａ、１５ｂの各釣針部１７は、均等配置冶具３の開口部３５の中に挿入され、図３に示すように、開口部３５を貫通し、均等配置冶具３の下方に突出する。
【００３８】
図３に示すように、開口部３５を貫通して均等配置冶具３の下方に突出した吊上げ用フック１５ａ、１５ｂの釣針部１７の各先端１７ａは、それぞれの開口部３５の放射状仕切り部３７に近接対向するような位置になっているが、各先端１７ａは、放射状仕切り部３７の真下よりも少し離れている。
【００３９】
吊上げ用フック１５ａ、１５ｂの釣針部１７の各先端１７ａが開口部３５を貫通して放射状仕切り部３７の真下よりも少し離れている状態において、ロープ２１を図３で矢印１０１で示すようにガイド棒５の周りを一方の所定方向に回転させるように引っ張ると、すなわちロープ２１をガイド棒３の周方向に引っ張るようにすると、取付本体部１３はガイド棒３の周りで同じ周方向に回転し、これにより取付本体部１３の外周縁部に取り付けられている吊上げ用フック１５ａ、１５ｂは、それぞれ矢印１０３および１０５で示すように、それぞれの対応する放射状仕切り部３７に近づくように移動し、放射状仕切り部３７に接触する。
【００４０】
このように吊上げ用フック１５ａ、１５ｂがそれぞれの対応する放射状仕切り部３７に接触した状態では、それぞれの釣針部１７の先端１７ａは、それぞれの対応する放射状仕切り部３７の真下に位置することになる。
【００４１】
次に、吊上げ用フック１５ａ、１５ｂの釣針部１７のそれぞれの先端１７ａが放射状仕切り部３７の真下に位置した状態でロープ２１を矢印１０７で示すように上方に引き上げると、ロープ２１で吊り上げられながら回収用冶具１１の取付本体部１３が全体的に上方に移動する。取付本体部１３が上方に移動すると、取付本体部１３に取り付けられている吊上げ用フック１５ａ、１５ｂも上方に移動し、吊上げ用フック１５ａ、１５ｂのそれぞれの釣針部１７も上方に移動し、それぞれの釣針部１７は、図４に示すように、放射状仕切り部３７の下側に引っ掛かり掛合する。
【００４２】
それから、それぞれの釣針部１７が放射状仕切り部３７の下側に引っ掛かった状態で更にロープ２１を矢印１０９で示すように上方に引き上げると、このロープ２１の上方への引き上げは、ロープ２１から取付本体部１３、吊上げ用フック１５ａ、１５ｂ、その釣針部１７を介して均等配置冶具３の放射状仕切り部３７に伝達され、これにより均等配置冶具３も上方へ引き上げられる。
【００４３】
均等配置冶具３を引き上げて、例えば中空柱１の最上部の上開口部または中空柱１の側部開口１ｃの近くまで均等配置冶具３が来たら、上開口部または側部開口１ｃから作業者が手を伸ばして、均等配置冶具３を回収することができる。
【００４４】
以上説明したように、本実施形態の回収用冶具１１および該回収用冶具１１を用いた均等配置冶具３の回収方法では、筒状体１９をガイド棒５に沿って下降させてから、取付本体部１３をロープ２１で保持しながらガイド棒５に沿うとともに更に筒状体１９も超えて下降させると、吊上げ用フック１５ａ、１５ｂの釣針部１７が均等配置冶具３の開口部３５を貫通するため、この貫通後、ロープ２１をガイド棒５の周方向に引っ張って、釣針部１７を均等配置冶具３の放射状仕切り部３７の下側に位置させ、それからロープ２１を上方に引き上げると、均等配置冶具３の放射状仕切り部３７に釣針部１７が引っ掛かって、均等配置冶具３を上方に引き上げられることができるため、中空柱１の開口部から均等配置冶具３を回収することができるというように回収用冶具１１の下降動作、ロープ２１の周方向への引張り、上方への引上げという比較的簡単な操作で均等配置冶具３を大きな力を必要とすることなく、比較的短時間で効率的に回収することができる。
【００４５】
なお、取付本体部１３の中心孔１３ａには、均等配置冶具３の間際で筒状体１９が挿通されるが、この中心孔１３ａは筒状体１９の直径に対して緩くなく、かなり高い精度で緊密に嵌合するように形成され、これにより取付本体部１３が傾かないように形成されている。そして、筒状体１９にガイド棒５を挿通して筒状体１９を均等配置冶具３に当接するまで下降させるのは、取付本体部１３の釣針部１７を均等配置冶具３の開口部３５に円滑に貫通させるために、取付本体部１３が均等配置冶具３の間際で下降して筒状体１９が取付本体部１３の中心孔１３ａに嵌合した場合、取付本体部１３が傾かないようにするため、すなわち取付本体部１３に取り付けられている吊上げ用フック１５の釣針部１７が均等配置冶具３の開口部３５に対して傾くことなく、円滑に開口部３５を貫通することができるようにするためである。
【００４６】
上述したように、取付本体部１３を下降させて、吊上げ用フック１５の釣針部１７を均等配置冶具３の開口部３５に貫通させる場合において、下降した釣針部１７が開口部３５の真上に正確に位置しないことも考えられるが、釣針部１７は、「し」の字形に形成され、その下端部は丸みをもって円滑に形成されているので、開口部３５の真上から少し外れたとしても、釣針部１７は開口部３５に挿入されるものである。
【００４７】
なお、上記実施形態では、筒状体１９は、１本の細長い円筒で構成したが、筒状体１９は、例えば上端の丸みのある部分を含む上側円筒体とその下方の下側円筒体の２つの部分に分割されるなどして構成されてもよい。
【００４８】
また、上記実施形態では、なお、図１では、均等配置冶具３のアラミドロッド保持部３ａおよびＰＣ鋼線保持部３ｂに補強用棒状部材であるアラミドロッド１２１およびＰＣ鋼線１２３が挿入されていないが、実際にはこれらのアラミドロッド１２１およびＰＣ鋼線１２３がそれぞれアラミドロッド保持部３ａおよびＰＣ鋼線保持部３ｂに挿入されているものであり、このようにそれぞれが挿入されていても、本実施形態の回収用冶具１１は、中心のガイド棒５とこれらの補強用棒状部材との間に挿入されるものであるため、上述した均等配置冶具３の回収動作に差しさわりはないものである。
【００４９】
図５は、本発明の他の実施形態に係わる回収用冶具を示す斜視図である。同図に示す回収用冶具１１１は、図１に示した回収用冶具１１において取付本体部１３の構造が異なっているのみであって、その他の構成、すなわち筒状体１９、吊上げ用フック１５ａ、１５ｂおよびロープ２１の構成は同じである。従って、これらの同じ構成要素には、同じ符号を付して、その説明を省略する。
【００５０】
図５に示す回収用冶具１１１の取付本体部１１３は、筒状体１９が貫通する短筒状の円筒管１１５と、この円筒管１１５の両側に１８０゜Ｃ離隔して対向するように固定されている２個の六角ボルト１１７ａ、１１７ｂと、この２個の六角ボルト１１７ａ、１１７ｂの外側に上端部が固定的に取り付けられ、下端部に前記吊上げ用フック１５ａ、１５ｂの上端部がねじなどにより固定的に取り付けられている連結部１１９ａ、１１９ｂとから構成されている。なお、円筒管１１５の中心に形成されている中心孔１１５ａは、前記取付本体部１３の中心の中心孔１３ａと同じ構造、機能のものであり、この中心孔１１５ａに筒状体１９が挿通されている。
【００５１】
このように構成されている回収用冶具１１１においても、図１に示した実施形態の回収用冶具１１と同様に中空柱１内に落ちた均等配置冶具３を回収することができ、その作業手順は、全く同じであり、図１で環状円形体の取付本体部１３が図５の実施形態において円筒管１１５と、六角ボルト１１７ａ、１１７ｂと、連結部１１９ａ、１１９ｂとからなる複数の部材で構成されている点が異なるのみであるので、その説明を省略する。
【００５２】
なお、本実施形態では、取付本体部１１３は、円筒管１１５、六角ボルト１１７ａ、１１７ｂ、連結部１１９ａ、１１９ｂなどの通常の作業現場などにおいて一般的に存在する比較的ありふれた一般的な部材で構成され、これらの部材をねじや溶接などで連結して構成されるものであるため、新たな部材を作製することなく、比較的容易かつ経済的に入手することができる。
【００５３】
以上、実施形態を挙げて本発明の実施の形態を説明したが、前記実施形態は一例であり、特許請求の範囲に記載される発明の範囲は、発明の要旨を逸脱しない範囲内で種々変更できるものである。
【符号の説明】
【００５４】
１  中空柱
１ｃ  側部開口
３  均等配置冶具
３ａ  アラミドロッド保持部
３ｂ  ＰＣ鋼線保持部
３ｃ  中央孔
５  ガイド棒
１１  回収用冶具
１３  取付本体部
１５、１５ａ、１５ｂ  吊上げ用フック
１７  釣針部
１７ａ  先端
１９  筒状体
１９ａ  貫通孔
２１  ロープ
３１  連結アーム
３３  円形連結部
３５  開口部
３７  放射状仕切り部
１１１  回収用冶具
１１３  取付本体部１１３
１１５  円筒管
１１５ａ  中心孔
１１７ａ、１１７ｂ  六角ボルト
１１９ａ、１１９ｂ  連結部
１２１  アラミドロッド
１２３  ＰＣ鋼線
１２５  モルタル
【図１】
2013227736.tif 000003
【図２】
2013227736.tif 000004
【図３】
2013227736.tif 000005
【図４】
2013227736.tif 000006
【図５】
2013227736.tif 000007
【図６】
2013227736.tif 000008